(57)【要約】【課題】盗難によって取得した自動車登録番号の使用を防止する。【解決手段】表示情報が車両の外部から視認可能に設けられた表示プレートと、車両内に設けられ、自動車登録番号を記憶する記憶装置と、該記憶装置から自動車登録番号を読み出して表示プレートに表示情報として表示させる車両制御装置とを備える。【選択図】図１
2019014399.tif 000002
【特許請求の範囲】
【請求項１】
表示情報が車両の外部から視認可能に設けられた表示プレートと、
車両内に設けられ、自動車登録番号を記憶する記憶装置と、
該記憶装置から自動車登録番号を読み出して前記表示プレートに前記表示情報として表示させる車両制御装置と
を備えることを特徴とする自動車登録番号表示装置。
【発明の詳細な説明】
【技術分野】
【０００１】
本発明は、自動車登録番号表示装置に関する。
【背景技術】
【０００２】
下記特許文献１には、自動車におけるナンバープレートの盗難防止装置が開示されている。この盗難防止装置は、ナンバープレートに取り外しを検出するためのリミットスイッチを設け、当該リミットスイッチによりナンバープレートの取り外しを検出して警報作動を行うものである。
【先行技術文献】
【特許文献】
【０００３】
【特許文献１】特開２００３−３４１９７号公報
【発明の概要】
【発明が解決しようとする課題】
【０００４】
しかしながら、上述した背景技術ではナンバープレートの盗難を外部に知らせることは可能であるが、盗難品であるナンバープレートの使用（悪用）を防止ることができない。盗難によって不正に入手したナンバープレートが犯罪に利用されることが懸念されるので、ナンバープレートの盗難防止をより実効的なものにするためには、盗難品であるナンバープレートを使用（悪用）させないことが必要である。
【０００５】
本発明は、上述した事情に鑑みてなされたものであり、盗難によって取得した自動車登録番号の使用を防止することを目的とする。
【課題を解決するための手段】
【０００６】
上記目的を達成するために、本発明では、自動車登録番号表示装置に係る解決手段として、表示情報が車両の外部から視認可能に設けられた表示プレートと、車両内に設けられ、自動車登録番号を記憶する記憶装置と、該記憶装置から自動車登録番号を読み出して前記表示プレートに前記表示情報として表示させる車両制御装置とを備える、という手段を採用する。
【発明の効果】
【０００７】
本発明によれば、表示パネルが既存のナンバープレートとして機能するが、表示プレートは車両制御装置によって制御されて自動車登録番号を電気的に表示するものなので、車両から取り外された状態において自動車登録番号を表示することができない。したがって、本発明によれば、盗難によって取得した自動車登録番号の使用を確実に防止することが可能である。
【図面の簡単な説明】
【０００８】
【図１】本発明の一実施形態に係る自動車登録番号表示装置の機能構成を示すブロック図である。
【発明を実施するための形態】
【０００９】
以下、図１を参照して、本発明の一実施形態について説明する。
本実施形態に係る自動車登録番号表示装置は、図１に示すように自動車Ｍに設けられるものであり、車両制御装置１、表示回路２及び表示プレート３を備える。
【００１０】
自動車Ｍは、法律に基づいて自動車登録番号が交付された車両である。車両制御装置１は、走行を含めた自動車Ｍの動作を制御する電子制御装置（ＥＣＵ）であり、自動車登録番号を記憶する登録番号記憶部１ａを備えている。この登録番号記憶部１ａは、不揮発性メモリであり、別途設けられた書込ツールＴを用いることにより自動車登録番号が記憶される。
【００１１】
ここで、一般的な車両用電子制御装置には、エンジンや走行モータ等の走行駆動装置の動作状態を示す信号や車両の運転状態を検出する各種センサの検出信号が入力されている。車両用電子制御装置は、このような信号に基づいて走行を含めた車両の動作状態を把握することにより、走行駆動装置を含めた車両の各駆動部を適宜制御する。
【００１２】
本実施形態における車両制御装置１は、このような一般的な車両用電子制御装置の基本的な機能に加えて、表示回路２を適宜制御することにより登録番号記憶部１ａ（記憶装置）に記憶された自動車登録番号を表示プレート３に表示させる付加機能を備える。
【００１３】
表示回路２は、車両通信システムを介して車両制御装置１と通信可能に接続されており、車両制御装置１から入力された自動車登録番号を表示プレート３に表示させる電子回路である。表示回路２の動作は、車両制御装置１によって包括的に制御される。すなわち、この表示回路２は、車両制御装置１から入力される指示信号と自動車登録番号を示す表示信号とに基づいて表示プレート３に自動車登録番号を表示させる。
【００１４】
表示プレート３は、数字や記号からなる自動車登録番号（表示情報）が表示可能な表示装置であり、例えばＬＥＤ表示パネル、液晶表示パネルあるいは有機ＥＬ表示パネルである。この表示プレート３は、所定の表示面積、例えば現行のナンバープレートと略同一な表示面積を有する平板な表示面を備え、当該表示面に自動車登録番号を自動車Ｍの外部から視認可能に表示する。
【００１５】
次に、このように構成された自動車登録番号表示装置の動作について詳しく説明する。
この自動車登録番号表示装置では、例えば販売業者が自動車Ｍを顧客に納車する際に書込ツールＴを用いることにより自動車登録番号を登録番号記憶部１ａに書き込む。
【００１６】
そして、この書込みの後に再起動すると、車両制御装置１は、登録番号記憶部１ａに記憶された自動車登録番号を読み出して認識し、不正でない正規な自動車登録番号であると認証すると、自動車登録番号を車両通信システムを介して表示回路２に送信する。
【００１７】
そして、表示回路２は、車両制御装置１から自動車登録番号を受信すると、車両制御装置１と予め取り交わした認証コードを用いることにより自動車登録番号の正当性を評価し、正当な自動車登録番号であると判断すると、当該自動車登録番号を表示プレート３に表示させる。
【００１８】
なお、表示回路２は、車両制御装置１から受信した自動車登録番号の正当性が評価できない場合には、自動車登録番号を表示プレート３に表示させない。すなわち、この場合には、表示プレート３は無表示状態である。
【００１９】
また、この場合、表示回路２は、自動車登録番号の正当性が評価できない旨を車両制御装置１に通知する。この結果、車両制御装置１は、自動車Ｍの走行制御に関する基本機能を不能状態とし、自動車Ｍを動作不能状態とする。すなわち、この自動車登録番号表示装置によれば、車両制御装置１と表示回路２とが登録番号記憶部１ａに記憶された自動車登録番号の正当性を評価することによって自動車Ｍの走行が可能となる。
【００２０】
この自動車登録番号表示装置によれば、例えば盗難等の不正に取得した自動車登録番号が登録番号記憶部１ａに記憶されていた場合、表示プレート３に自動車登録番号が表示されないと共に自動車Ｍの走行もできないことになる。
【００２１】
このような本実施形態によれば、盗難によって取得した自動車登録番号の使用を防止することができると共に、この場合における自動車Ｍの走行をも防止することができる。
【００２２】
なお、本発明は上記実施形態に限定されるものではなく、例えば以下のような変形例が考えられる。
上記実施形態では、車両制御装置１に登録番号記憶部１ａを設けたが、本発明はこれに限定されない。例えば登録番号記憶部１ａを表示回路２内に設けても良く、あるいは車両制御装置１及び表示回路２とは別体として設けても良い。
【符号の説明】
【００２３】
Ｍ  自動車（車両）
Ｔ  書込ツール
１  車両制御装置
１ａ  登録番号記憶部（記憶装置）
２  表示回路
３  表示プレート
【図１】
2019014399.tif 000003